(57)【要約】【課題】使用済み注射針ユニットの取り外しを行う際に、使用者が使用済み注射針ユニットに直接、手を触れず、また、複雑な器具を使用せずに簡単に取り外しをすることができる廃棄針用回収容器及び廃棄針用回収部品を提供すること。【解決手段】注射器本体９０の先端に保持体９４を介して螺合された注射針部９６を回収する廃棄針用回収容器１０。廃棄針用回収容器１０は、容器本体１２と、容器本体１２の上面に位置し、保持体９４が挿入される挿入孔１００が形成された開口部１４とを備える。開口部１４は、保持体９４を把持する把持手段６４と、把持手段６４の挿入孔１００が延びる孔方向への線運動に伴って、把持手段６４を回転運動させるボールスプライン軸４８と軸受５０とを有する。挿入孔１００に挿入された保持体９４は、これが孔方向に動かされることで注射器本体９０から分離される。【選択図】図９
2012110356.tif 000002
【特許請求の範囲】
【請求項１】
注射器本体の先端に保持体を介して螺合された注射針部を回収する廃棄針用回収容器であって、
容器本体と、この容器本体の上面に位置し、前記保持体が挿入される挿入孔が形成された開口部と、を備え、
前記開口部は、前記保持体を把持する把持手段と、この把持手段の前記挿入孔が延びる孔方向への線運動に伴って、前記把持手段を回転運動させる運動変換機構と、を有し、
前記挿入孔に挿入された保持体が、前記孔方向に動かされることで前記注射器本体から分離される廃棄針用回収容器。
【請求項２】
前記把持手段は、前記線運動が、前記廃棄針用回収容器の重心を通る軌道で行われる位置に設けられている請求項１記載の廃棄針用回収容器。
【請求項３】
前記把持手段は、前記保持体に設けられた凹凸に噛合して、前記把持手段に対する前記保持体の相対的な回転を禁止する噛合部を有する請求項１又は２記載の廃棄針用回収容器。
【請求項４】
前記把持手段を上方向に付勢する付勢手段をさらに備える請求項１から３いずれか記載の廃棄針用回収容器。
【請求項５】
前記開口部を有する分離部は、前記容器本体に対して着脱可能に設けられている請求項１から４いずれか記載の廃棄針用回収容器。
【請求項６】
前記容器本体は、分離された注射針部を廃棄するための廃棄口と、この廃棄口を開閉する開閉部材と、を有する請求項１から５いずれか記載の廃棄針用回収容器。
【請求項７】
前記容器本体は、注射器本体の先端に保持体を介して嵌合された注射針部を回収する回収手段をさらに備える請求項１から６いずれか記載の廃棄針用回収容器。
【請求項８】
注射器本体の先端に保持体を介して螺合された注射針部を回収する廃棄針用回収容器に用いられる廃棄針用回収部品であって、
前記廃棄針用回収容器の容器本体に接続される接続手段と、前記保持体が挿入される挿入孔が形成された開口部と、を備え、
前記開口部は、前記保持体を把持する把持手段と、この把持手段の前記挿入孔が延びる孔方向への線運動に伴って、前記把持手段を回転運動させる運動変換機構と、を有する廃棄針用回収部品。
【発明の詳細な説明】
【技術分野】
【０００１】
本発明は、廃棄針用回収容器及び廃棄針用回収部品に関する。
【背景技術】
【０００２】
一般に、注射器用カートリッジホルダーの注射針を取り外す場合、使用前に収納していた注射針収納容器を被せてから注射用カートリッジホルダーより取り外し、収納容器キャップで蓋をして所定の廃棄処分をしている。しかし、取り外した針が刺さる針刺し事故による感染のおそれがあり、かつ、取り扱いが繁雑であった。また、注射針を自動的に取り外すことを目的として、電動モーターを使用し注射針を握持する機構を設け、ギヤ等を介して握持機構を駆動して注射針を取り外し廃棄針用回収容器に収納する装置（例えば、特許文献１）が知られているが、機構が複雑であり高価であった。
【先行技術文献】
【特許文献】
【０００３】
【特許文献１】特開平９−２２４９８５号公報
【発明の概要】
【発明が解決しようとする課題】
【０００４】
本発明は、使用済み注射針ユニットの取り外しを行う際に、使用者が使用済み注射針ユニットに直接、手を触れず、また、複雑な器具を使用せずに簡単に取り外しをすることができる廃棄針用回収容器及び廃棄針用回収部品を提供することを目的とする。
【課題を解決するための手段】
【０００５】
本発明に係る廃棄針用回収容器は、注射器本体の先端に保持体を介して螺合された注射針部を回収する。廃棄針用回収容器は、容器本体と、この容器本体の上面に位置し、前記保持体が挿入される挿入孔が形成された開口部と、を備える。前記開口部は、前記保持体を把持する把持手段と、この把持手段の前記挿入孔が延びる孔方向への線運動に伴って、前記把持手段を回転運動させる運動変換機構と、を有する。前記挿入孔に挿入された保持体は、前記孔方向に動かされることで前記注射器本体から分離される。
【０００６】
前記把持手段は、前記線運動が、前記廃棄針用回収容器の重心を通る軌道で行われる位置に設けられている。
【０００７】
前記把持手段は、前記保持体に設けられた凹凸に噛合して、前記把持手段に対する前記保持体の相対的な回転を禁止する噛合部を有する。
【０００８】
廃棄針用回収容器は、前記把持手段を上方向に付勢する付勢手段をさらに備える。
【０００９】
前記開口部を有する分離部は、前記容器本体に対して着脱可能に設けられている。
【００１０】
前記容器本体は、分離された注射針部を廃棄するための廃棄口と、この廃棄口を開閉する開閉部材と、を有する。
【００１１】
前記容器本体は、注射器本体の先端に保持体を介して嵌合された注射針部を回収する回収手段をさらに備える。
【００１２】
本発明に係る廃棄針用回収部品は、注射器本体の先端に保持体を介して螺合された注射針を回収する廃棄針用回収容器に用いられる。廃棄針用回収部品は、前記廃棄針用回収容器の容器本体に接続される接続手段と、前記保持体が挿入される挿入孔が形成された開口部と、を備える。前記開口部は、前記保持体を把持する把持手段と、この把持手段の前記挿入孔が延びる孔方向への線運動に伴って、前記把持手段を回転運動させる運動変換機構と、を有する。
【発明の効果】
【００１３】
本発明によれば、開口部は、保持体を把持する把持手段と、この把持手段の挿入孔が延びる孔方向への線運動に伴って、把持手段を回転運動させる運動変換機構と、を有するので、挿入孔に挿入された保持体は、孔方向に動かされることで注射器本体から分離される。
【図面の簡単な説明】
【００１４】
【図１】本発明の廃棄針用回収容器及び廃棄針用回収部品の一部を断面にした正面図である。
【図２】図１に示した廃棄針用回収容器及び廃棄針用回収部品の部分断面図である。
【図３】図１に示した廃棄針用回収容器及び廃棄針用回収部品の別の部分断面図である。
【図４】図３に示した廃棄針用回収容器及び廃棄針用回収部品の開閉部材の正面図である。
【図５】図１に示した廃棄針用回収容器及び廃棄針用回収部品のフック部の正面図である。
【図６】図１に示した廃棄針用回収容器及び廃棄針用回収部品のカバーの部分断面図である。
【図７】図１に示した廃棄針用回収容器及び廃棄針用回収部品に用いられる注射針を示す断面図である。
【図８】図１に示した廃棄針用回収容器及び廃棄針用回収部品に用いられる別の注射針を示す断面図である。
【図９】図１に示した廃棄針用回収容器及び廃棄針用回収部品の使用手順を示す部分断面図である。
【図１０】図９に続く廃棄針用回収容器及び廃棄針用回収部品の使用手順を示す部分断面図である。
【図１１】本発明の別の廃棄針用回収容器及び廃棄針用回収部品の一部を断面にした正面図である。
【図１２】図１１に示した廃棄針用回収容器及び廃棄針用回収部品の別の一部を断面にした正面図である。
【発明を実施するための形態】
【００１５】
図１から図６を参照して、本発明を実施するための一実施形態について説明する。なお、これはあくまでも一例であって、本発明の技術的範囲はこれに限られるものではない。
【００１６】
図１から図４において「上方向」とは、図１における矢印Ｘ１の方向をいい、「下方向」とは、矢印Ｘ２の方向をいう。また、ある位置よりも上方向の側を「上側」、ある位置よりも下方向の側を「下側」という。
【００１７】
図１に示すように、廃棄針用回収容器１０は、図７に示す注射器本体９０の先端９２に、保持体９４を介して螺合された注射針部９６を回収するために用いられる。廃棄針用回収容器１０は、容器本体１２と開口部１４とを備えている。さらに、廃棄針用回収容器１０は、開口部１４を覆う蓋部１１４を備えている。
【００１８】
容器本体１２は、円柱側面状の側部１６と、側部１６の下部を覆う底部１８と、側部１６の上部１６ａに形成された円筒形状の口部２０（図９参照）を有する、縦断面が略Ｕ字状の容器である。側部１６は、円柱側面状としたが、他の形状、例えば、四角柱側面状、八角形側面状、楕円柱側面形状等であってもよいし、裁頭円錐形状、裁頭角錐形状であってもよい。
【００１９】
底部１８は、例えば、略円盤状の底を備える。底部１８は、さらに、底の下側に配置される滑止部２２を備えてもよい。滑止部２２は、机の上面のような設置面Ｆと滑止部２２とが相対的移動しにくくなるような材料で形成されており、例えば、ゴムのような弾性体で形成されている。滑止部２２は、滑止部２２と設置面Ｆとが側部１６の円柱形状の中心軸Ｃの周りを回転させる回転力で互いに摺動することを防止する作用を奏する。
【００２０】
側部１６は、注射器本体９０から分離され、回収された複数の注射針部９６を収容することができる大きさを有している。側部１６は、さらに、収容された複数の注射針部９６を廃棄するための廃棄口部２４と、廃棄口部２４を開閉するキャップのような開閉部材２６とを有する。
【００２１】
廃棄口部２４は、側部１６の中心軸Ｃと平行の方向に伸びる中心軸を有する円筒形状に形成されているが、これに限定されず、任意の方向に伸びる中心軸を有する円筒形状に形成されていてもよい。
【００２２】
図２に示すように、廃棄口部２４は、例えば、円筒形状を有し、廃棄口部２４の上端部に円盤形状の鍔部２４ａが形成されている。したがって、鍔部２４ａと上部１６ａとによって、溝部２４ｂが形成されている。
【００２３】
図３及び図４に示すように、開閉部材２６は、例えば、廃棄口部２４を覆うことができる大きさの円盤形状の基部２６ａと、基部２６ａの一方の面の周囲から延在し、基部２６ａの中央に向けて伸びる鍔部２６ｂと、基部２６ａから延在している板状のヒンジ部２６ｆと、ヒンジ部２６ｆに形成されている円盤部２６ｅとを備えている。開閉部材２６は、例えば、容器本体１２と同じ材料で形成されていることが好ましい。
【００２４】
鍔部２６ｂと基部２６ａとは、溝部２６ｃを形成している。円盤部２６ｅには、溝部２４ｂの谷の直径より若干大きい直径の穴２６ｄが形成されている（図２参照）。溝部２６ｃの谷の直径は、鍔部２４ａの先端の直径と略同じ大きさを有している。
【００２５】
図２に示すように、円盤部２６ｅの穴２６ｄが廃棄口部２４の溝部２４ｂに嵌合している。開閉部材２６は、ヒンジ部２６ｆが折り曲がった状態で、溝部２６ｃが鍔部２４ａに嵌合することにより、廃棄口部２４を塞いでいる。したがって、開閉部材２６は、必要なときに、開閉部材２６を上方方向に引っ張ったり、溝部２６ｃに鍔部２４ａを嵌合させたりすることにより、開閉部材２６と廃棄口部２４とが弾性変形し、廃棄口部２４を開けたり閉じたりする。
【００２６】
図５に示すように、廃棄口部２４の内部には、例えば、図８に示すインシュリン用注射器の注射器本体９８に嵌合している注射針部９９を片手で注射器本体９８から取り外すためのフック部２５が形成されていてもよい。フック部２５は、例えば、廃棄口部２４と同じ材料で形成されていることが好ましい。フック部２５は、例えば、廃棄口部２４の内周面のうち、およそ半分の内周面から内側に延在した基部２５ａと、基部２５ａの両端から廃棄口部２４の中央に延在する延在部２５ｃと、延在部２５ｃの端部に、廃棄口部２４の中央近傍で十字のスリット２５ｂを形成するスリット形成部２５ｄとを備える。
【００２７】
図８に示すように、インシュリン用注射器は、注射器本体９８と、注射器本体９８の先端９８ａに嵌合している注射針部９９とを備える。注射針部９９は、注射器本体９８の先端９８ａを嵌合する筒状部９９ｂと、筒状部９９ｂの端部に形成されている鍔部９９ａとを備える。筒状部９９ｂの外径は、スリット２５ｂの幅よりも若干小さいことが好ましい。鍔部９９ａの外径は、スリット２５ｂの幅よりも若干大きいことが好ましい。
【００２８】
図９に示すように、口部２０は、側部１６の円柱形状の中心軸Ｃと一致するように、上部１６ａに円筒形状に形成されている。口部２０の円筒形状の外周面には、雄ネジ２８が形成されている。雄ネジ２８の回転軸は、側部１６の円柱形状の中心軸Ｃと略一致している。
【００２９】
図１に示すように、容器本体１２の側部１６、上部１６ａ、底部１８、及び、口部２０は、いずれも、プラスチックのような樹脂材料、特に、可視性のある樹脂材料で形成されていることが好ましいが、ステンレス、スチール等の金属材料で形成されていてもよい。
【００３０】
図１及び図６に示すように、開口部１４は容器本体１２の上面に位置する。開口部１４は、容器本体１２の口部２０の雄ネジ２８に螺合する雌ネジ３０が形成されている分離部３２を有する。分離部３２は、円筒形状を有し、下側に開口している凹部を有する。凹部の内周面には、雌ネジ３０が、雌ネジ３０の中心軸が側部１６の円柱形状の中心軸Ｃと一致するように、形成されている。分離部３２の上面には円柱形状の凸部３２ａが形成されており、後述する圧縮コイルバネ５４の下端が配置されている。なお、圧縮コイルバネ５４は、例示であって、付勢手段であれば、これに限定されない。
【００３１】
分離部３２には、凹部の底部３３と分離部３２の上面の凸部３２ａとを貫通する円筒形状の貫通孔３４が形成されている。貫通孔３４の中心軸は、側部１６の円柱形状の中心軸Ｃと一致している。したがって、分離部３２は、分離部３２を中心軸Ｃの周りを回るように、容器本体１２に対して回転させると、雄ネジ２８と雌ネジ３０との螺合が解けるので、分離部３２、ひいては開口部１４は、容器本体１２から分離する構造を有する。
【００３２】
分離部３２の底部３３には、例えば、ボールスプライン軸４８と螺合する軸受５０がボルトのような公知の取付手段によって、組み付けられている。軸受５０は、例えば、ボールスプライン軸４８に軸線が中心軸Ｃと一致するように、分離部３２の底部３３に取り付けられている。なお、ボールスプライン軸４８と軸受５０とは、回転運動を直線運動に変換する機構の一例としてあげたものであって、例えば、台形ネジや、一般の雄ネジ、雌ネジであってもよい。また、材質は、金属として説明しているが、回転運動を直線運動に変換する機能を発揮できれば、限定されず、例えば、樹脂であってもよい。
【００３３】
ボールスプライン軸４８は、ボールスプライン軸４８がボールスプライン軸４８の軸線の周りを回転すると、軸受５０に対して、ボールスプライン軸４８の軸線が伸びる方向に回転しながら移動する。換言すると、ボールスプライン軸４８と軸受５０とは、ボールスプライン軸４８がボールスプライン軸４８の軸線が伸びる方向に移動するためには、ボールスプライン軸４８の軸線の周りを回転しなければならない構造を有している。したがって、ボールスプライン軸４８と軸受５０とは、ボールスプライン軸４８が中心軸Ｃの伸びる方向に移動に伴って、ボールスプライン軸４８を回転運動させる運動変換機構として作用する。ここで、中心軸Ｃは、廃棄針用回収容器１０の重心を通るので、ボールスプライン軸４８の軸線は、廃棄針用回収容器１０の重心を通ることになる。
【００３４】
ボールスプライン軸４８は、ボールスプライン軸４８が伸びる方向において、ボールスプライン軸４８の中心を通る貫通孔５２を有する。
【００３５】
ボールスプライン軸４８の上端部分には、凹部５６が形成されている。凹部５６の内周側面は、円筒形状を有する。
【００３６】
開口部１４は、保持体９４の円筒側面を保持するインナー把持部６０とインナー把持部６０が差し込まれるアウター把持部６２とを有する。インナー把持部６０とアウター把持部６２とは、協働して保持体９４を把持する把持手段６４として作用する。
【００３７】
アウター把持部６２の下側端部は、ボールスプライン軸４８の凹部５６に相対的回転不能に嵌合されている。アウター把持部６２は、円柱形状を有し、上側が開口する凹部６６と、凹部６６の底部に形成された貫通孔６８とを備える。凹部６６の開口近傍は、裁頭円錐形状の側面のような外側に広がるテーパーに形成されている。このテーパーは、インナー把持部６０の下端部を凹部６６に案内する案内機構として作用する。凹部６６の内周面の中心と貫通孔６８の中心とはいずれも中心軸Ｃの延長線上に位置している。
【００３８】
アウター把持部６２の凹部６６には、例えば、付勢手段の一例である圧縮コイルバネ７０が圧縮された状態で配置されている。圧縮コイルバネ７０は、圧縮コイルバネ５４のバネ定数よりも小さいバネ定数を有することが好ましい。圧縮コイルバネ７０の上側には、スペーサー７２が摺動可能に配置されている。スペーサー７２は、円筒形状を有する。スペーサー７２は、スペーサー７２の対向する側面に、スペーサー７２の円筒形状の軸線が伸びる方向に長い２つの長孔７４が形成されている。
【００３９】
スペーサー７２の上側には、インナー把持部６０の下側の端部がスペーサー７２の上側に接触するように、インナー把持部６０が配置されている。
【００４０】
圧縮コイルバネ７０の上側の端部には、上側バネ受部材７８が配置されている。上側バネ受部材７８は、円柱形状を有する。上側バネ受部材７８の下側の端部には、凹部７６が形成されている。凹部７６は、圧縮コイルバネ５４の外径よりも若干大きい直径の内周面を有している。上側バネ受部材７８の上側にも、凹部８０が形成されている。凹部８０は、例えば、ベアリング８２を保持する。本実施形態では、ベアリングを挙げているが、これに限定されず、摩擦抵抗が少なくなる構成ならかまわず、例えば、オイルレス軸受けや、ブッシュであってもよい。上側バネ受部材７８には、凹部７６の底面と凹部８０の底面とを貫通する貫通孔８４が形成されている。貫通孔８４の中心は、中心軸Ｃの延長線上に位置している。
【００４１】
インナー把持部６０の上側の端部には、カバー８６が配置されている。カバー８６は、円盤部８５と円盤部８５の下側に形成された筒状部８７とを有する。円盤部の中央に貫通孔８８が形成されている。筒状部８７の内径は、インナー把持部６０の外径、アウター把持部６２の外径よりも大きく、筒状部８７の外径は、圧縮コイルバネ５４の内径、貫通孔８４の内径、ベアリング８２の内径のいずれよりも小さい。
【００４２】
インナー把持部６０は、上下方向に貫通する貫通孔６１を有する。貫通孔６１は、保持体９４の外径よりも若干大きい直径を有する。貫通孔６１の内側面には、インナー把持部６０の外径が小さくなる際の逃げしろとして作用するスリット６３が形成されている。貫通孔６１の内周面には、保持体９４とインナー把持部６０とが相対的回転不能に、保持体９４に設けられた凹凸に噛合する噛合部（図示せず）が形成されている。
【００４３】
インナー把持部６０は、上側の端部は円筒形状を有し、中央の部分がテーパーですぼんでいる形状を有し、下側の端部は円筒形状を有する構造を備えている。上側の端部は、アウター把持部６２の外径と略同じ直径を有する。下側の端部は、アウター把持部６２の内径とほぼ同じか、若干小さい直径を有する。
【００４４】
カバー８６の筒状部８７には、貫通孔が形成され、また、アウター把持部６２には、雌ネジ穴が形成されている。そして、筒状部８７の貫通孔をとおって雌ネジ穴に止めネジ８３が螺合している。したがって、ボールスプライン軸４８は、アウター把持部６２、止めネジ８３を介してカバー８６と相対的移動不能に組み付けられている。
【００４５】
圧縮コイルバネ５４は、圧縮コイルバネ５４が若干圧縮された状態で、その下側端部が下側バネ受部材４０の凹部４２に、その上側端部が上側バネ受部材７８の凹部７６に配置されているので、上側バネ受部材７８を、常に上側に移動しようと、付勢する。この付勢の力は、上側バネ受部材７８、ベアリング８２を介して、カバー８６の円盤部８５に伝わる。
【００４６】
止めネジ８３の先端は、アウター把持部６２の凹部６６の内周面よりも内側に出ており、スペーサー７２の長孔７４に差し込まれている。
【００４７】
スペーサー７２は、アウター把持部６２の凹部６６の内周面において、長孔７４の長さだけ、上下方向に摺動することができる。また、圧縮コイルバネ７０は、若干圧縮された状態でアウター把持部６２の凹部６６の内周面の内部に配置されているので、圧縮コイルバネ７０は、スペーサー７２を付勢している。
【００４８】
このように、開口部１４には、保持体９４が挿入され、また、後述する注射器本体９０から分離された保持体９４が通る挿入孔１００が、貫通孔５２、６８、６１、スペーサー７２の貫通孔によって形成されている。
【００４９】
分離部３２の上側には、開口部１４を覆うカバー１１０が設けられている。カバー１１０は、例えば、円筒側面形状の筒状部１１２と、筒状部１１２の上端に形成された開口部１１６と、開口部１１６の近傍に形成された外側に広がる鍔部１１８とを備える。開口部１１６の直径は、円盤部８５の外径より若干大きい。カバー１１０は、例えば、樹脂で形成されていることが好ましい。カバー１１０の上部には、ヒンジ支持部１１９が設けられており、ヒンジ支持部１１９は、円盤形状の蓋部１１４の外周から延在したヒンジ部に枢軸１２２を介して回転可能に支持されている。蓋部１１４は、開口部１１６側に設けられた鍔部１２０を備える。鍔部１２０は、蓋部１１４の外周近傍から円筒側面状に延在し、その端部において内側にリングを形成するように延在している。図１及び図６に示すように、蓋部１１４の鍔部１２０は、通常、開口部１１６の鍔部１１８とカバー１１０の上部との隙間に入り込んだ状態とされ、これにより、開口部１１６を密封している。
【００５０】
図１に示すように、以上の廃棄針用回収容器１０は、通常、圧縮コイルバネ５４、７０によって、上方向の付勢力が、それぞれ、上側バネ受部材７８、スペーサー７２に作用しているので、ボールスプライン軸４８、インナー把持部６０は、いずれも、最も上側に位置している。また、蓋部１１４は、開口部１１６を覆っている。
【００５１】
廃棄針用回収容器１０は、以下のようにして用いる。
【００５２】
使用者は、注射器本体９０を用いてインシュリン等の薬を身体に投与する。そして、使用済みとなった注射器本体９０を、廃棄針用回収容器１０を用いて、注射針部９６を注射器本体９０から確実にかつ簡単に取り外す。
【００５３】
以下、詳細に説明する。まず、図９に示すように、使用者は、蓋部１１４を、枢軸１２２の回りを回転させるように、持ち上げて、開口部１１６を開ける。これにより、使用者は、インナー把持部６０の貫通孔６１を視認することができ、また、注射器本体９０の保持体９４をインナー把持部６０の貫通孔６１に差し込むことができる。
【００５４】
次に、使用者は、注射器本体９０の針が下に向くように、片手で、使用済みとなった注射器本体９０を持ち、廃棄針用回収容器１０の上方に位置させる。このとき、注射器本体９０の中心軸とインナー把持部６０の中心軸、すなわち、中心軸Ｃとを合わせる。
【００５５】
次に、注射器本体９０を下方向に移動させ、保持体９４の外周面がインナー把持部６０の貫通孔６１の内周面に接触させる。貫通孔６１は、保持体９４の外径よりも若干大きい直径を有するので、スムーズに保持体９４を貫通孔６１に挿入することができる。
【００５６】
さらに、注射器本体９０を下方向に移動させると、注射器本体９０の下端部がインナー把持部６０の上端部に接触する。
【００５７】
さらに、注射器本体９０を下方向に移動させると、注射器本体９０とインナー把持部６０とが一緒に下方向に移動する。このとき、圧縮コイルバネ７０は圧縮コイルバネ５４のバネ定数よりも小さいバネ定数を有するので、圧縮コイルバネ７０が圧縮コイルバネ５４より先に注射器本体９０を下方向に移動させる力に屈する。
【００５８】
そして、インナー把持部６０の下側端部は、スペーサー７２を下方向に押しながら、かつ、アウター把持部６２の上端部のテーパーに接触しながらアウター把持部６２の貫通孔に挿入される。スペーサー７２は、止めネジ８３の先端が長孔７４に挿入されているので、長孔７４の長手方向、すなわち、下方向に移動する。
【００５９】
インナー把持部６０がアウター把持部６２の貫通孔に挿入されると、スリット６３の隙間を狭めながら貫通孔６１の内径を若干小さくするから、インナー把持部６０は、保持体９４を、貫通孔６１と保持体９４とが相対的回転不能になるように、確実に把持する。
【００６０】
また、インナー把持部６０が保持体９４を確実に把持すると同時に、インナー把持部６０の下側端部がアウター把持部６２の貫通孔に挿入すると、インナー把持部６０の下側端部のテーパーと、アウター把持部６２の上側端部のテーパーとによって、インナー把持部６０とアウター把持部６２とは、嵌合状態になるので、インナー把持部６０とアウター把持部６２とは、相対的回転不能状態になる（この状態を、把持回転開始状態という）。
【００６１】
さらに、注射器本体９０を下方向に移動させると、圧縮コイルバネ５４の付勢が屈し、ボールスプライン軸４８が下方向に移動する。ボールスプライン軸４８が下方向に移動すると、ボールスプライン軸４８と軸受５０との螺合により、ボールスプライン軸４８が回転しながら下方向に移動する。ボールスプライン軸４８の回転は、アウター把持部６２、インナー把持部６０を介して、一方は、保持体９４に、他方は、さらに止めネジ８３を介してカバー８６に伝わる。
【００６２】
このとき、注射器本体９０は、使用者がしっかり注射器本体９０を保持しているので、注射器本体９０と保持体９４との間に回転力が作用し、実際に回転する。つまり、使用者が注射器本体９０を下げると、注射器本体９０の先端９２と保持体９４との螺合を解く回転力が作用する。また、注射器本体９０の先端９２と保持体９４との螺合を解く回転力は、容器本体１２にも作用するが、滑止部２２によって、ほとんど回転しない。
【００６３】
また、ボールスプライン軸４８の上下動は、容器本体１２の中心軸Ｃの延長線上、換言すると、廃棄針用回収容器１０の重心を通る軌道で行われる。つまり、中心軸Ｃは、挿入孔１００が延びる孔方向と一致し、また、保持体９４は、孔方向への線運動をすることになる。
【００６４】
圧縮コイルバネ５４は、上側バネ受部材７８と下側バネ受部材４０とによって両端を保持されているので、上側バネ受部材７８は、下方向に略平行移動する。そこで、仮に、滑止部２２の滑り止め力よりも大きい回転力が容器本体１２に作用して、容器本体１２が回転しそうになったら、使用者は、注射器本体９０を保持している手と反対の手で上側バネ受部材７８や容器本体１２を保持すればよい。
【００６５】
なお、使用者は、使用者の手等がカバー８６に接触しない状態で、注射器本体９０をしっかり持って、下方向に押す作業をするだけでいいので、ボールスプライン軸４８の移動にともなって、カバー８６が回転しても、押し下げるという作業に支障はほとんどない。
【００６６】
そして、さらに、注射器本体９０を下方向に移動させると、やがて、図１０に示すように、上側バネ受部材７８の下側が、下側バネ受部材４０の上面に接触して、注射器本体９０の下方向への移動ができなくなる（この状態を把持回転終了状態という）。
【００６７】
このようにして、把持回転開始状態から把持回転終了状態にすることにより、保持体９４を注射器本体９０の先端９２から分離させる。注射器本体９０の先端９２から分離した保持体９４は、重力によって、挿入孔１００、すなわち、スペーサー７２の貫通孔、インナー把持部６０の貫通孔６８、ボールスプライン軸４８の貫通孔５２を、自由落下状態で、通って、容器本体１２に収容され、回収される。
【００６８】
もし、一回の把持回転開始状態から把持回転終了状態への操作で、保持体９４が若干回転しつつも、保持体９４が注射器本体９０の先端９２から完全に分離しなかった場合、把持回転終了状態で、使用者は、注射器本体９０を保持している手の小指球でカバー８６を下側に押さえながら注射器本体９０を上側に引き抜く。このとき、カバー８６が下側に押さえられているから、止めネジ８３を介してアウター把持部６２は、下方向に押しつけられている。
【００６９】
このような状態で、注射器本体９０を上側に引き抜くと、インナー把持部６０がアウター把持部６２とインナー把持部６０との嵌合による引っ張り強さに屈して、やがて、インナー把持部６０がアウター把持部６２から抜け、ひいては、インナー把持部６０の貫通孔６１の内径が元の大きさに戻り、貫通孔６１が作用していた保持体９４の保持力がほとんどなくなり、インナー把持部６０の貫通孔６１から保持体９４が抜ける。
【００７０】
次に、使用者の手を上方に移動させると、圧縮コイルバネ５４の付勢力により、ボールスプライン軸４８が上方向に移動し、図９に示すような元の状態になる。
【００７１】
そして、使用者は、蓋部１１４を回転させて、開口部１１６を覆う。これにより、容器本体１２に収容され、回収された保持体９４は、蓋部１１４の密閉により、容器本体１２にほぼ隔離された状態になるので、保持体９４の針に付着した血液等から接触による使用者等への感染をより確実に防止することができる。
【００７２】
使用者は、把持回転開始状態から把持回転終了状態を含む上述の作業を反復することにより、確実に、かつ、簡単に、保持体９４を注射器本体９０の先端９２から完全に分離させることができる。特に、使用者が、把持回転開始状態から把持回転終了状態を含む以上の作業を反復する手の動きに着目すれば、使用者は、単に、手に注射器本体９０を保持した状態で、中心軸Ｃの延長線上を上下させているだけであるので、廃棄針用回収容器１０は、従来のような複雑な機構や電源を必要としない。
【００７３】
ところで、廃棄針用回収容器１０の容器本体１２は一般の容器を用いることができる。その場合、その一般の容器に取り付ける廃棄針用回収部品を用いればよい。
【００７４】
そのような廃棄針用回収部品は、例えば、図１、図９において、その一般の容器本体の雌ネジに螺合によって接続される雌ネジ３０のような接続手段と、保持体９４が挿入される挿入孔１００が形成された開口部１４と、を備えればよい。そして、開口部１４は、保持体９４を把持する把持手段６４と、この把持手段６４の挿入孔１００が延びる孔方向への線運動に伴って、把持手段６４を回転運動させる運動変換機構とを有すればよいことは、当業者であれば自明なことである。
【００７５】
図１１及び図１２を参照して、別の実施形態について説明する。
【００７６】
図１１及び図１２に示す廃棄針用回収容器１０は、スペーサー３６と、下側バネ受部材４０とが設けられていること、及び、廃棄口部２４の向きがことなること以外は、図１から図６に示す廃棄針用回収容器１０と同じであるので、同一符号を付して説明を省略する。
【００７７】
廃棄口部２４は、側部１６の中心軸Ｃと略直角の方向に伸びる中心軸を有する円筒形状に形成されているが、これに限定されず、任意の方向に伸びる中心軸を有する円筒形状に形成されていてもよい。廃棄口部２４の外周は、雄ネジが形成されている。開閉部材２６は、例えば、円盤形状の基部と、この基部の一方の底面に形成された凹部と、基部の外周側面に形成された把持部とを有する。凹部の内周面には、例えば、廃棄口部２４の外周の雄ネジと螺合可能な雌ネジが形成されている。したがって、開閉部材２６は、必要なときに、開閉部材２６を回転させることにより、廃棄口部２４を開閉させることができる。
【００７８】
開口部１４は、例えば、分離部３２の上側に円柱形状のスペーサー３６を有する。スペーサー３６は、分離部３２の円筒外周面の直径と略同じ直径を有する。スペーサー３６には、その円中軸が伸びる方向に貫通孔３８が形成されている。貫通孔３８は、貫通孔３８の中心軸が側部１６の円柱形状の中心軸Ｃと一致するように、形成されている。
【００７９】
開口部１４は、スペーサー３６の上側に下側バネ受部材４０を有する。下側バネ受部材４０は、略円柱形状を有し、その上側中央に凹部４２が形成されている。凹部４２の底部４４の中央には、下側バネ受部材４０の下側の面を貫通する貫通孔４６が、貫通孔４６の中心軸が側部１６の円柱形状の中心軸Ｃと一致するように、形成されている。したがって、貫通孔３４、貫通孔３８、貫通孔４６は、いずれも、側部１６の円柱形状の中心軸Ｃと一致しているので、同心円を形成している。また、貫通孔３４、貫通孔３８、貫通孔４６は、いずれも、ボールスプライン軸４８を非接触かつ回転可能に挿通できる直径を有する。
【００８０】
下側バネ受部材４０の凹部４２には、圧縮コイルバネ５４の下端が配置されている。圧縮コイルバネ５４は、ボールスプライン軸４８が圧縮コイルバネ５４の内側に位置し、回転可能に上下することができるように、ボールスプライン軸４８の外径よりも大きい内径とすることが好ましい。
【００８１】
開口部１４は、分離部３２の上側に円柱形状のスペーサー３６やスペーサー３６の上側に下側バネ受部材４０を有するので、図１から図６に示す廃棄針用回収容器１０よりも、ボールスプライン軸４８のストロークを短くすることができる。
【００８２】
以上のように、使用者は、図１１及び図１２に示す廃棄針用回収容器１０を把持回転開始状態から把持回転終了状態までの作業を含む上述の作業を反復することにより、確実に、かつ、簡単に、筒状部９９ｂを注射器本体９８の先端９８ａから完全に分離させることができる。特に、使用者が、把持回転開始状態から把持回転終了状態を含む上述の作業を反復する手の動きに着目すれば、使用者は、単に、手に注射器本体９８を保持した状態で、中心軸Ｃの延長線上を上下させているだけであるので、図１１及び図１２に示す廃棄針用回収容器１０も、従来のような複雑な機構や電源を必要としない。
【００８３】
本発明は、上述の実施形態に限定されない。例えば、上述の廃棄針用回収容器は、注射針と共に、医療廃棄物として処理できる材質（例えば、注射針がステンレスで形成されている場合、廃棄針用回収容器に用いられている金属は、ステンレスで形成されていることが好ましい。）であることが好ましい。また、実施形態で示した具体的な構成は、すべて例示であって、同一作用効果を奏する別の構成に置き換えてもよいことは言うまでもない。
【符号の説明】
【００８４】
Ｃ  中心軸
Ｆ  設置面
１０  廃棄針用回収容器
１２  容器本体
１４  開口部
１６  側部
１８  底部
２０  口部
２２  滑止部
２４  廃棄口
２６  開閉部材
２８  雄ネジ
３０  雌ネジ
３２  分離部
３３  底部
３４  貫通孔
３６  スペーサー
３８  貫通孔
４０  下側バネ受部材
４２  凹部
４４  底部
４６  貫通孔
４８  ボールスプライン軸
５０  軸受
５２  貫通孔
５４  圧縮コイルバネ
５６  凹部
６０  インナー把持部
６１  貫通孔
６２  アウター把持部
６３  スリット
６４  把持手段
６６  凹部
６８  貫通孔
７０  圧縮コイルバネ
７２  スペーサー
７４  長孔
７６  凹部
７８  上側バネ受部材
８０  凹部
８２  ベアリング
８３  止めネジ
８４  貫通孔
８５  円盤部
８６  カバー
８７  筒状部
８８  貫通孔
９０  注射器本体
９２  先端
９４  保持体
９６  注射針部
１００  挿入孔
【図１】
2012110356.tif 000003
【図２】
2012110356.tif 000004
【図３】
2012110356.tif 000005
【図４】
2012110356.tif 000006
【図５】
2012110356.tif 000007
【図６】
2012110356.tif 000008
【図７】
2012110356.tif 000009
【図８】
2012110356.tif 000010
【図９】
2012110356.tif 000011
【図１０】
2012110356.tif 000012
【図１１】
2012110356.tif 000013
【図１２】
2012110356.tif 000014